(57)【要約】【課題】今までの水跳ね防止具の固定は流し台の流しの内側で固定装置により固定させるか、水跳ね防止具の下端が流し台周りの上端に固定されるように両面テープや吸盤などを利用して固定するようにして、流し内には水気が多くて、流しの内側にある水跳ね防止具の固定装置に水垢や細菌などが多く発生し、また、水跳ね防止具を流し台周り上端に固定したため、隙間に水が染み込んで落ちてしまったりくっ付かなくて不便であった。【解決手段】本発明は、流し台に設置して、後片付けする時水の跳ねを防止する流し台水跳ね防止具及び固定装置に関し、水跳ね防止具を流し台に固定させる時、流しの内側ではない水気のない流し台周りの前壁で水跳ね防止具を固定することができるようにして、長期間使用しても落ちないようにし、また、各家庭の流し台幅１３が異なるが、なるべく多く使用可能に固定装置３の幅を調整することができるようにした。【選択図】図３
2017508901.tif 000002
【特許請求の範囲】
【請求項１】
本発明は流し台に設置して後片付けする時水の跳ねを防止する流し台水跳ね防止具及び水跳ね防止具を固定させる固定装置において、
流し台水跳ね防止具（１）を流し台周り（４）の上に固定するために固定装置（３）の上部に上部固定装置（５）を縦方向に形成し、上部固定装置（５）の上端には上端掛け具（６）を流し台周り（４）の上で水跳ね防止具（１）の固定部（２）を固定することができるように右側に突出されるように形成し、上部固定装置（５）の下端には一つ以上の上方固定段差（７）を下方固定段差（１１）と対向するように形成し、上方固定段差（７）に弾性を与えることができるように左右側に弾力溝（８）を形成し、
固定装置（３）の下部には、下部固定装置（９）を縦方向に形成し、下部固定装置（９）の下端には下端掛け具（１０）を固定装置（３）の下端が流し台収納扉上端溝（１２）で固定されるように下端で固定することができるように右側に突出されるように形成し、
上部固定装置（５）の上方固定段差（７）と下部固定装置（９）の下方固定段差（１１）が流し台幅（１３）に合う位置に合わせて互いに噛合って固定されることができるように下部固定装置（９）に縦方向に２つ以上の下方固定段差（１１）を上方固定段差（７）と対向するように形成したことを特徴とする流し台水跳ね防止具及び固定装置。
【請求項２】
上方固定段差（７）と弾力溝（８）に対応して固定フック（７−１）を一つ以上形成し、下方固定段差（１１）に対応して２つ以上の固定溝（１１−１）を形成し、
固定フック（７−１）を流し台幅（１３）に合う固定溝（１１−１）の位置挿入して水跳ね防止具を固定することができるようにしたことを特徴とする請求項１に記載の流し台水跳ね防止具及び固定装置。
【発明の詳細な説明】
【技術分野】
【０００１】
本発明は、流し台に設置して後片付けする時水跳ねを防止する流し台水跳ね防止具に関し、詳しくは、水跳ね防止具を流し台の上端に固定させる固定装置を水気のある流し側ではない反対側の流し台の前面で水跳ね防止具を固定させることができるようにするための流し台水跳ね防止具及び固定装置に関する。
【背景技術】
【０００２】
今までの水跳ね防止具の固定は流し台の流しの内側で固定装置により固定させるか、水跳ね防止具の下端が流し台周りの上端に固定されるように両面テープや吸盤などを利用して固定する。
【０００３】
流し内には水気が多くて、流しの内側の水跳ね防止具の固定装置に水垢や細菌などが多く発生し、また、水跳ね防止具を流し台周りの上端に固定したため隙間に水が染み込んで落ちてしまったりくっ付かなくて不便であった。
【発明の概要】
【発明が解決しようとする課題】
【０００４】
本発明は、流し台に設置して後片付けする時水の跳ねを防止する流し台水跳ね防止具及び固定装置に関し、水跳ね防止具を流し台に固定させる時固定装置を流しの内側ではない水気のない流し台周りのの前壁で水跳ね防止具を固定させることができるようにして、長期間使用しても落ちないようにすることにその目的がある。
【課題を解決するための手段】
【０００５】
本発明は流し台に設置して後片付けする時水の跳ねを防止する流し台水跳ね防止具及び水跳ね防止具を固定させる固定装置において、
流し台水跳ね防止具１を流し台周り４の上に固定するために固定装置３の上部に上部固定装置５を縦方向に形成し、
上部固定装置５の上端には、上端掛け具６を流し台周り４の上で水跳ね防止具１の固定部２を固定することができるように右側に突出されるように形成し、上部固定装置５の下端には一つ以上の上方固定段差７を下方固定段差１１と対向するように形成し、上方固定段差７に弾性を与えることができるように左右側に弾力溝８を形成したこと、
固定装置３の下側には下部固定装置９を縦方向に形成し、下部固定装置９の下端には下端掛け具１０を固定装置３の下端が流し台収納扉上端溝１２で固定されるように下部で固定することができるように右側に突出されるように形成し、
上部固定装置５の上方固定段差７と下部固定装置９の下方固定段差１１が流し台幅１３に合う位置に合わせて互いに噛合って固定されることができるように下部固定装置９に縦に２つ以上の下方固定段差１１を上方固定段差７と対向するように形成したことに特徴がある。
【発明の効果】
【０００６】
流し台水跳ね防止具１の固定を流しの内側や流し台の上ではない流し台の前壁で固定するので、固定装置に水垢及び細菌などが発生する虞が全くなく、また、水跳ね防止具と流し台周りの上端との間に水が染み込んで落ちてしまったり、よくくっ付かない虞がなくて、常に清潔で、長期間堅固に固定されて便利に用いることができるようにし、
また、各家庭の流し台幅１３が異なるが、なるべく多く使用可能に固定装置３の幅を調整することができるようにした効果を奏する。
【図面の簡単な説明】
【０００７】
【図１】本発明の上部固定装置５の斜視図である。
【図２】本発明の下部固定装置９の斜視図及び断面図である。
【図３】本発明の動作１の断面図である。
【図４】本発明の動作２の断面図である。
【図５】本発明の動作３の断面図である。
【図６】本発明のまた他の実施の上部固定装置５−１の斜視図である。
【図７】本発明のまた他の実施の下部固定装置９−１の斜視図及び断面図である。
【図８】本発明のまた他の実施の固定装置３−１の動作断面図である。
【図９】本発明のまた他の実施の装着完了断面図である。
【発明を実施するための形態】
【０００８】
本発明を添付図面を参照して詳しく説明すれば次の通りである。
【０００９】
流し台水跳ね防止具１を流し台周り４の上に固定するために固定装置３の上部に上部固定装置５を縦方向に形成し、
上部固定装置５の上端には、上端掛け具６を流し台周り４の上で水跳ね防止具１の固定部２を固定することができるように右側に突出されるように形成し、上部固定装置５の下端には一つ以上の上方固定段差７を下方固定段差１１と対向するように形成し、上方固定段差７に弾性を与えることができるように左右側に弾力溝８を形成したことと、
固定装置３の下部には、下部固定装置９を縦方向に形成し、下部固定装置９の下端には下端掛け具１０を固定装置３の下端が流し台収納扉上端溝１２で固定されるように下端で固定することができるように右側に突出されるように形成し、
上部固定装置５の上方固定段差７と下部固定装置９の下方固定段差１１が流し台幅１３に合う位置に合わせて互いに噛合って固定されることができるように下部固定装置９に縦方向に２つ以上の下方固定段差１１を上方固定段差７と対向するように形成したことを図３、４、５の動作断面図によって詳しく説明する。
【００１０】
まず、図３に示すように、水跳ね防止具１を流し台周り４の上に載せて上部固定装置５の上方固定段差７の下端を下部固定装置９の下方固定段差１１の上部から結合して上端掛け具６を流し台周り４の上の水跳ね防止具固定部２の上に位置させ、下部固定装置９の下端にある下端掛け具１０は、流し台収納扉上端溝１２に押し入れ、流し台の厚さに合わせて固定されるように上部固定装置５の上端掛け具６を図４の矢印（ａ）方向に押すとともに、下端掛け具１０は下から流し台周り４側に押し上げると、
上方固定段差７は、図４に示すように、弾性によって下方固定段差１１の突起部位では後ろに押され、凹面部位では結合が繰り返されながら流し台幅１３に合う位置にくれば図５のように流し台に水跳ね防止具が固定される。
【００１１】
これは、各家庭の流し台幅１３が異なるが、なるべく多く使用されるように固定装置３の幅を調整することができる。
【００１２】
他の実施例として
上方固定段差７と弾力溝８に対応して一つ以上の固定フック７−１を、下方固定段差１１を対応して２つ以上の固定溝１１−１を形成して、
固定フック７−１を流し台幅１３に合う固定溝１１−１の位置に挿入して固定すれば、流し台幅１３に応じて調節されて水跳ね防止具を固定することができるようにした。
【産業上の利用可能性】
【００１３】
可能
【図１】
2017508901.tif 000003
【図２】
2017508901.tif 000004
【図３】
2017508901.tif 000005
【図４】
2017508901.tif 000006
【図５】
2017508901.tif 000007
【図６】
2017508901.tif 000008
【図７】
2017508901.tif 000009
【図８】
2017508901.tif 000010
【図９】
2017508901.tif 000011
【国際調査報告】
2017508901.tif 000012
2017508901.tif 000013
2017508901.tif 000014
2017508901.tif 000015